(57)【要約】  本発明は、シートフレーム（２４）上に配置され、かつそれに取り付けられ得、側面衝突または車両横転の場合に乗員の頭部および胸部を保護するように設計されている、自動車両用のエアバッグ装置（１０）に関する。エアバッグ装置（１０）は、ガス発生器およびエアバッグクッション（３０）を備え、ガス発生器およびエアバッグクッション（３０）は、互いに接続され、エアバッグ装置（１０）は、シートフレーム（２４）の第１の側部（２６）上に配置され、かつそれに取り付けられ得る。エアバッグ装置（１０）は、第１の牽引要素（４０）を備え、第１の牽引要素が、その第１端（４２）によってエアバッグクッション（３０）の中心領域（３２）に取り付けられている。【選択図】図２
2019523171.tif 000002
【特許請求の範囲】
【請求項１】
シートフレーム（２４）上に配置され、かつそれに取り付けられ得、側面衝突または車両横転の場合に乗員の頭部および胸部を保護するように設計されている、自動車両用のエアバッグ装置であって、
ガス発生器を有し、
エアバッグクッション（３０）を有し、
前記ガス発生器および前記エアバッグクッション（３０）が、互いに接続され、前記エアバッグ装置（１０）が、前記シートフレーム（２４）の第１の側部（２６）上に配置され得、
前記エアバッグ装置（１０）が、第１の牽引要素（４０）を備え、前記第１の牽引要素が、その第１端（４２）によって前記エアバッグクッション（３０）の中心領域（３２）に取り付けられていることを特徴とする、自動車両用のエアバッグ装置。
【請求項２】
前記第１の牽引要素（４０）は、その第１端（４２）によって前記エアバッグクッション（３０）の前記中心領域（３２）の後部（３４）に取り付けられていることを特徴とする、請求項１に記載の装置。
【請求項３】
前記第１の牽引要素（４０）は、その第１端（４２）によって、保持手段（３９）の近くで、前記エアバッグクッション（３０）の前記中心領域（３２）の後部（３４）に取り付けられていることを特徴とする、請求項２に記載の装置。
【請求項４】
前記第１の牽引要素（４０）は、その第２端（４４）によって、前記シートフレーム（２４）の第２の反対側部（２８）上に配置され、かつそれに取り付けられ得ることを特徴とする、請求項１、２または３に記載の装置。
【請求項５】
前記エアバッグクッション（３０）は、前記エアバッグ装置（１０）が展開され、かつ前記エアバッグクッション（３０）が膨らんだとき、前記エアバッグクッション（３０）の前記中心領域（３２）が、陥凹中心領域（３２）を形成する様式で設計されていることを特徴とする、請求項１〜４のいずれか１項に記載の装置。
【請求項６】
前記エアバッグクッション（３０）は、前記エアバッグデバイス（１０）が展開され、かつ前記エアバッグクッション（３０）が膨らんだとき、前記エアバッグクッション（３０）の前方領域（３６）が、前記エアバッグクッション（３０）の前記中心領域（３２）よりも厚くなる様式で設計されていることを特徴とする、請求項１〜５のいずれか１項に記載の装置。
【請求項７】
前記エアバッグ装置（１０）は、第２の牽引要素（５０）および第３の牽引要素（６０）を有し、各々が、その第１端（５２、６２）によって前記エアバッグクッション（３０）の前方領域（３６）に取り付けられていることを特徴とする、請求項１〜６のいずれか１項に記載の装置。
【請求項８】
前記第２の牽引要素（５０）および前記第３の牽引要素（６０）は、各々、その第２端（５４、６４）によって前記シートフレーム（２４）の前記第１の側部（２６）上に配置され、かつそれに取り付けられ得ることを特徴とする、請求項７に記載の装置。
【請求項９】
前記第２の牽引要素（５０）は、前記第１の牽引要素（４０）の上に配置され、前記第３の牽引要素（６０）は、前記第１の牽引要素（４０）の下に配置されていることを特徴とする、請求項７または８に記載の装置。
【請求項１０】
シートフレーム（２４）上に配置され、かつそれに取り付けられ得、側面衝突または車両横転の場合に乗員の頭部および胸部を保護するように設計されている、自動車のエアバッグ装置（１０）用のエアバッグクッションであって、
前記エアバッグクッション（３０）が、前記シートフレーム（２４）の第１の側部（２６）上に配置され、かつそれに取り付けられ得、
前記エアバッグクッション（３０）が、第１の牽引要素（４０）を備え、前記第１の牽引要素が、その第１端（４２）によって前記エアバッグクッション（３０）の中心領域（３２）に取り付けられていることを特徴とする、エアバッグクッション。
【請求項１１】
前記第１の牽引要素（４０）は、その第１端（４２）によって前記エアバッグクッション（３０）の前記中心領域（３２）の後部（３４）に取り付けられていることを特徴とする、請求項１０に記載のエアバッグクッション。
【請求項１２】
前記第１の牽引要素（４０）は、その第１端（４２）によって、保持手段（３９）の近くで、前記エアバッグクッション（３０）の前記中心領域（３２）の後部（３４）に取り付けられていることを特徴とする、請求項１１に記載のエアバッグクッション。
【請求項１３】
前記第１の牽引要素（４０）は、その第２端（４４）によって、前記シートフレーム（２４）の第２の反対側部（２８）上に配置され、かつそれに取り付けられ得ることを特徴とする、請求項１０、１１または１２に記載のエアバッグクッション。
【請求項１４】
前記エアバッグクッション（３０）は、前記エアバッグクッション（３０）が膨らんだとき、前記エアバッグクッション（３０）の前記中心領域（３２）が、陥凹中心領域（３２）を形成する様式で設計されていることを特徴とする、請求項１０〜１３のいずれか１項に記載のエアバッグクッション。
【請求項１５】
前記エアバッグクッション（３０）は、前記エアバッグクッション（３０）が膨らんだとき、前記エアバッグクッション（３０）の前方領域（３６）が、前記エアバッグクッション（３０）の前記中心領域（３２）よりも厚くなる様式で設計されていることを特徴とする、請求項１０〜１４のいずれか１項に記載のエアバッグクッション。
【請求項１６】
前記エアバッグクッション（３０）は、第２の牽引要素（５０）および第３の牽引要素（６０）を有し、各々が、その第１端（５２、６２）によって前記エアバッグクッション（３０）の前方領域（３６）に取り付けられていることを特徴とする、請求項１０〜１５のいずれか１項に記載のエアバッグクッション。
【請求項１７】
前記第２の牽引要素（５０）および前記第３の牽引要素（６０）は、各々、その第２端（５４、６４）によって前記シートフレーム（２４）の前記第１の側部（２６）上に配置され、かつそれに取り付けられ得ることを特徴とする、請求項１６に記載のエアバッグクッション。
【請求項１８】
前記第２の牽引要素（５０）は、前記第１の牽引要素（４０）の上に配置され、前記第３の牽引要素（６０）は、前記第１の牽引要素（４０）の下に配置されていることを特徴とする、請求項１６または１７に記載のエアバッグクッション。
【発明の詳細な説明】
【技術分野】
【０００１】
本発明は、シートフレーム上に配置され、かつそれに取り付けられ得、側面衝突または車両横転の場合に乗員の頭部および胸部を保護するように設計されている、自動車両用のエアバッグ装置に関する。さらに、本発明は、このエアバッグ装置用のエアバッグクッションに関する。
【背景技術】
【０００２】
自動車のエアバッグ装置は、現在、現代の自動車において追加の保護システムとして広く使用されている。例えば、エアバッグ装置は、自動車両の運転手のための保護システムとして使用され、この目的のために、好ましくは、自動車両の運転手の正面のハンドルに直接配置される。さらに、エアバッグ装置はまた、乗員のための保護システムとしても使用され、好ましくは、かかる場合において、グローブボックスの近くの乗員シートの正面のダッシュボードに配置される。運転手のシートおよび乗員シートの正面のダッシュボードの下方領域にエアバッグ装置を取り付け、それによって、事故の場合に運転手および乗員の膝および下腿を保護することはまた、一般的である。
【０００３】
さらなる追加の保護システムとして、エアバッグ装置はまた、側面衝突および車両横転の場合に乗員の頭部および胸部を保護するように自動車両の乗員の側方保護のためにも使用される。この目的のために、エアバッグ装置は、例えば、運転手のシートおよび／もしくは乗員シートの背もたれの外方に面する側部領域に装着されるか、または事故の場合にカーテンのように膨らむエアバッグクッションによって自動車両の乗員を保護するように側窓の上の内部の屋根エリアに配置される。
【０００４】
これらの既知のエアバッグ装置は、様々なサイズおよび実施形態において利用可能であり、特定の意図される装着場所および／または車両の内部での意図される使用に適合される。
【０００５】
例えば、自動車両の乗員の側方保護用のエアバッグ装置は、ＤＥ１０  ２００９  ０４４  ７３４から既知であり、これは、シートフレームの事前指定された区分に取り付けられる。この既知のエアバッグ装置は、エアバッグモジュール、およびエアバッグモジュール内に折り畳まれて配置されたエアバッグクッションを有する。エアバッグモジュールは、ボルトによってシートフレームに締結され、ブラケットをさらに備え、ブラケットは、その第１端を介してエアバッグクッションの事前指定された区分に連結され、第２端を介してボルトに連結される。ブラケットは、エアバッグクッションが膨らんだとき、エアバッグクッションが事前指定された位置に事前指定された長さで広がることを可能にする。
【０００６】
しかしながら、近年では、自動車両の安全システムの要件が、とりわけ、自動車両の安全を担当する官庁によって公布されたより厳しい安全規制のため、著しく増加している。自動車両の安全を担当する官庁からの自動車両に対する最高の評価を達成するために、現在、「ＦＣＡ」（フロントセンターエアバッグ）と呼ばれるものを自動車両に装備する必要がある。このＦＣＡは、運転手のシートと乗員のシートとの間の車両の中心、好ましくは、隣接シートに面する運転手のシートまたは乗員のシートの背もたれの側方領域に位置し、エアバッグクッションが広がる側面衝突の場合に、これらのシートにいる人の脇腹または頭部を保護する。
【０００７】
しかしながら、運転手のシートと乗員のシートとの間の車両の中心であるＦＣＡの場所に起因して、ＦＣＡは、膨らんだときに車両本体に支持されないため側方剛性が小さい。それゆえに、既知のＦＣＡは、制限された側方保持能力のみを有する。
【０００８】
さらに、シートの所与の幾何学的形状、およびその結果としての設置スペースの制限に起因して、ＦＣＡ用のエアバッグモジュールのための、シートの上方側方領域およびヘッドレストにおける十分な設置スペースが存在しない。それゆえに、ＦＣＡ用のエアバッグモジュールは、背もたれの下方側部領域のみが、利用可能な十分な設置スペースであるため、その領域のみ、干渉せずに収容され得る。
【０００９】
しかしながら、背もたれの下方側方領域のエアバッグモジュールの配置は、いくつかの欠点を有する。
【００１０】
従来のエアバッグモジュールは、通常、対称に構築され、これは、ガス発生器が中心に配置され、かつエアバッグクッションが中心に向かって対称に折り畳まれることを意味する。エアバッグモジュールが展開されたとき、エアバッグクッションもまた、したがって、対称に膨らみ、つまり、エアバッグクッションがガス発生器の上下で等分に広がり、エアバッグクッションに対して安定した位置付け挙動をもたらす。この点において、従来のエアバッグモジュールが、ＦＣＡの従来のエアバッグクッションと共に使用される場合、特大のエアバッグクッションが使用されなければならず、広げられた状態および／または膨らんだ状態において、人の頭部を保護するために、背もたれの下方側方領域のエアバッグモジュールの設置位置からシートのヘッドレストの上まで届かなければならない。
【００１１】
一方で、この特大のエアバッグクッションは、折り畳まれたときでさえ、大きな容積を必要とする。しかしながら、背もたれの下方側方領域におけるモジュールを設置するための容積は制限され、それにより、特大のエアバッグクッションの容積の増加に起因して、特大のエアバッグクッションの設置中に機能的問題が生じる。
【００１２】
一方で、特大のエアバッグクッションの等しく大きい部分は、この場合にはエアバッグクッションがガス発生器に向かって対称に折り畳まれるため、下方に広がり、膨らむ。しかしながら、床に向かって、２つのシート間のスペースは、変速機用のトンネルおよび／またはセンターコンソールによって制限され、それにより、特大のエアバッグクッションの下部は、適切に広がることができない。しかしながら、これは、特大のエアバッグクッションの上部が広がり、および頭部に対するその位置付けに影響を及ぼし、この場合の安全な動作を確実にすることを不可能にする。
【００１３】
後者の欠点を回避するために、ガス発生器が展開され、ガスがエアバッグクッションを膨らませるとき、ガス発生器から上方に実質的に非対称に広がる様式でエアバッグクッションを折り畳み、かつそれをインフレータに取り付けるやり方が既知である。
【００１４】
一方で、これは、折り畳まれたときにより小さい容積を必要とするより小さいエアバッグクッションを使用することを可能にし、エアバッグ装置は、エアバッグ装置を収容する十分な容積が存在する、シートの背もたれの下方側方領域に装着され得る。これはまた、センターコンソールおよび／または変速機用のトンネルが膨らんだエアバッグクッションの影響を受けることも防止する。
【００１５】
しかしながら、一方で、この場合のエアバッグクッションは、シートフレーム上のエアバッグクッションの取り付け点からエアバッグクッションの頭部部分までの距離が大きく、かつエアバッグクッションが非対称に膨らむため、不安定な位置付け挙動を有し、それにより、エアバッグクッションの頭部部分は、使用の意図される部分に対してねじれ得る、および／または変位され得る。具体的には、エアバッグクッションが、車両の長手方向に上方かつ前方に広がるため（つまり、ガス発生器に対して非対称に）、エアバッグクッションが後方ねじれを受ける可能性があり、これは、エアバッグクッションの頭部部分が使用の意図される位置から外れることをもたらす。しかしながら、側面衝突または車両横転の場合に、前方シートの乗員の頭部が衝突し得るリスクが存在する。エアバッグクッションのこの後方ねじれは、主に、エアバッグクッションの爆発的な急速膨張、および完全膨張後に続く収縮に起因する。
【００１６】
位置付け挙動を改善するために、例えば、ＧＢ２  ３５７  ９９９およびＵＳ２０１２／００４９４９８から、ストラップの形態の牽引要素の一端を、乗員に面するエアバッグクッションの側部でエアバッグクッションに取り付け、他端をシートフレームに取り付けるやり方が既知である。これは、牽引要素が乗員によってエアバッグクッションのこの側部に加えられる力を吸収し、それによって、エアバッグクッションを意図される位置に保つため、位置付け挙動およびエアバッククッションの剛性を改善することができる。しかしながら、これはまた、牽引要素が、乗員に面するエアバッグクッションの側部に配置されることに起因して、自動車両の乗員が、膨らんだエアバッグクッションをより容易に外すことができるため、エアバッグクッションの保持能力に影響を及ぼす。
【先行技術文献】
【特許文献】
【００１７】
【特許文献１】ドイツ特許出願  ＤＥ１０２００９０４４７３４
【特許文献２】英国特許ＧＢ２３５７９９９
【特許文献３】米国特許出願ＵＳ２０１２／００４９４９８
【発明の概要】
【発明が解決しようとする課題】
【００１８】
それゆえに、この背景から、本発明の目的は、簡単、費用効果の良い、かつ機能的に信頼性がある自動車両用のエアバッグ装置を提供することであり、これは、側面衝突および車両横転の場合に乗員の頭部および胸部を確実に保護し、かつ乗員が膨らんだエアバッグクッションを外すことを確実に防止する。本発明のさらなる目的は、側面衝突および車両横転の場合に乗員の頭部および胸部を確実に保護し、かつ乗員が膨らんだエアバッグクッションを外すことを確実に防止する、自動車両用のエアバッグクッションを提供することである。
【課題を解決するための手段】
【００１９】
この目的は、請求項１によるエアバッグ装置によって、かつ請求項１０によるエアバッグクッションによって達成される。本発明のさらに有利な実施形態は、従属請求項の内容である。
【００２０】
本発明によると、自動車両用のエアバッグ装置は、シートフレーム上に配置され、かつそれに取り付けられ得、側面衝突または車両横転の場合に乗員の頭部および胸部を保護するように設計される。それは、互いに接続される、ガス発生器およびエアバッグクッションを有し、隣接シートの方を向くシートフレームの第１の側部上に配置され、かつそれに取り付けられ得る。本発明によると、かつ有利には、エアバッグ装置は、第１の牽引要素を有し、これは、その第１端を介してエアバッグクッションの中心領域に締結される。本発明および有利な実施形態は、エアバッグ装置を提供し、これは、それが展開されたときにエアバッグクッションを意図される位置に確実に保持し、乗員が膨らんだエアバッグクッションを外すことを防止する。これは、次に、一方で、２人の乗員が車両に乗っているときに隣接シートに座っている乗員の頭部の衝突を確実に防止する。１人のみの乗員が自動車両に乗っている場合、乗員は、エアバッグ装置の本発明の、かつ有利な実施形態によって、シート上に確実に拘束される。これは、特に、車両が側面衝突においてシートの反対側で衝突された場合、この場合において乗員がシート上に確実に拘束されるため、向上した安全性を乗員に提供する。
【００２１】
牽引要素が乗員に影響を及ぼすことを防止するために、かつそれゆえに乗員が膨らんだエアバッグクッションを外し始めることも防止するために、第１の牽引要素は、有利には、かつ本発明によると、その第１端によってエアバッグクッションの中心領域の後部に取り付けられる。この場合において具体的な利点として考えられるものは、この設計のため、膨らんだエアバッグクッションの最大部が第１の牽引要素の正面に配置され、それにより、乗員を安全に受け止める、および／または正確かつ確実に捕捉するための十分な面積が存在することである。さらに、これは、第１の牽引要素が、乗員とシートの背もたれとの間に配置されることを確実にし、それゆえに、エアバッグ装置が展開されたとき、第１の牽引要素が、乗員と膨らんだエアバッグクッションデバイスとの間で動かないことを確実にする。それゆえに、本発明および有利な配置によると、第１の牽引要素は、エアバッグ装置を展開する事象によって生じる乗員の運動に影響を与えない。したがって、これは、乗員が膨らんだエアバッグクッションから第１の牽引要素に沿って、滑り出ること、またはずり出ることを防止する。
【００２２】
エアバッグ装置の機能的信頼性およびエアバッグクッションの剛性は、好ましい実施形態によって、第１の牽引要素が有利に、かつ発明的に、その第１端によって、保持手段の近くでエアバッグクッションの中心領域の後部に締結される場合、さらに改善される。これらの保持手段は、例えば、エアバッグクッションの両側部を、エアバッグクッションの膨張に際して互いから事前指定された距離に配置するように、エアバッグクッションの内側に配設され、かつエアバッグクッションの両側部を互いに接続するストラップであり得、したがって、これは、膨らんだエアバッグクッションの形状およびその硬さを決定する。第１の牽引要素の第１端をこれらの保持手段の近くに取り付けることによって、エアバッグクッションの硬さおよび耐荷重は、著しく改善され、それゆえに、本発明によるエアバッグ装置の機能的信頼性も同様に著しく改善される。
【００２３】
エアバッグ装置の機能的信頼性およびエアバッグクッションの剛性は、さらに好ましい実施形態よって、第１の牽引要素が、有利に、かつ本発明によって、その第２端を用いて、シートフレームの第１の側部の反対、かつ車両の外側に面する、シートフレームの第２の側部上に配置される場合、さらに改善される。したがって、第１の牽引要素は、膨らんだエアバッグクッションを意図された位置に保持し、乗員が側面衝突で生じる力によって膨らんだエアバッグクッションに押し込まれるときに生じる強い力を吸収し得る。既に述べられたように、これは、車両が、側面衝突において、シートの反対側で衝突され、乗員が側面衝突から結果として乗じる力によって膨らんだエアバッグクッションの方向に押し込まれる場合に、特に有利である。
【００２４】
さらに、これはまた、エアバッグクッションを側方方向に安定化させ、それによって、膨らんだエアバッグクッションがヒンジ様に開いて離れることを防止する。したがって、膨らんだエアバッグクッションは、乗員がエアバッグクッションに押し込まれた場合でさえ、シートに対し側方に隣接する使用の意図されるエリアにその位置を維持し、それにより、信頼性および機能性がさらに改善される。膨らんだエアバッグクッションの側方剛性は、したがって、膨らんだエアバッグクッションが車両本体に支持されないが、著しく向上される。
【００２５】
エアバッグ装置の機能的信頼性をさらに改善するために、かつ乗員がエアバッグクッションから滑り出ること、またはずり出ることを確実に防止するために、好ましい発展によると、エアバッグクッションの中心領域は、エアバッグ装置が展開されてエアバッグクッションが膨らんだとき、陥凹中心領域を形成する。本発明の、かつ有利な陥凹中心領域は、乗員が、エアバッグクッションの膨張を引き起こす事象によって膨らんだエアバッグクッションに押し込まれたとき、乗員の肩を受け止め得る。しかしながら、乗員は、次に、膨らんだエアバッグクッションの正面に確実に保持され、乗員は、膨らんだエアバッグクッションから滑り出ること、またはずり出ることを防止される。陥凹中心領域および／または肩領域は、様々な方式で形成され得る。例えば、それは、膨らまないエアバッグクッションの一部分であり得る。またはそれは、中心領域および／または肩領域の所望される厚さを形成するために、エアバッグクッションの周囲エリアよりも小さく膨らむエアバッグクッションの一部分であり得る。当業者は、この設計に必要なエアバッグクッションの構成的設計を認識し、これは、本明細書によって本開示および本発明の範囲に含められる。
【００２６】
さらに好ましい実施形態によると、エアバッグ装置が展開されてエアバッグクッションが膨らんだとき、エアバッグクッションの前方領域が、エアバッグクッションの中心領域よりも厚くなることが発明的に、かつ有利に提供される。これは、エアバッグ装置の機能的信頼性をさらに改善し、乗員が膨らんだエアバッグクッションから滑り出ること、またはずり出ることを確実に防止する。エアバッグクッションの厚い前方領域は、乗員が、膨らんだエアバッグクッションから滑り出ない、またはずり出ないように、陥凹中心領域および／または肩領域に乗員を肩によって確実に保持する。
【００２７】
本発明の有利な発展において、エアバッグ装置は、第２の牽引要素および第３の牽引要素を有し、これらは、その第１端によってエアバッグクッションの前方領域に各々締結される。したがって、エアバッグクッションは、特に、さらに有利な実施形態によって、第２の牽引要素および第３の牽引要素が、その第２端によってシートフレームの第１の側部に各々配置および締結され得る場合、確実かつ動作可能に配置され得る。これは、膨らんだエアバッグクッションがシートフレームに確実かつ安定的に取り付けられ、かつ意図される位置に保持されることを確実にし、それにより、エアバッグ装置の信頼性が保証される。
【００２８】
第２の牽引要素および第３の牽引要素が乗員に影響を及ぼすことを防止するために、かつ、したがって、乗員が膨らんだエアバッグクッションから滑り出ること、またはずり出ることを防止するために、さらに有利な発展によると、第２の牽引要素は、第１の牽引要素の上に配置され、第３の牽引要素は、第１の牽引要素の下に配置される。本発明によるこの有利な発展によって、第２の牽引要素は、中心領域の上に配置され、第３の牽引要素は、中心領域が覆われないように、中心領域の下に配置される。したがって、中心領域および／または肩領域は、乗員の肩を確実に受け止め、それにより、乗員は、膨らんだエアバッグクッションから滑り出ない、またはずり出ない。これは、本発明によるエアバッグ装置の機能的信頼性を保証する。「上」という用語は、エアバッグ装置のエアバッグクッションの設置位置を意味する。設置位置において、エアバッグクッションは、車両底部に向かう、下方に配向された側部、および車両の屋根に向かう、上方に配向された側部を有する。「上」および「下」という用語は、それゆえに、当業者に対して、第２および第３の牽引要素と第１の牽引要素との間の配置および関係を明確に定義する。また、「中心領域」、「前方領域」、「下方領域」等のような配置は、したがって、当業者に対して十分に定義される。
【００２９】
機能的に、第２の牽引要素は、膨らんだエアバッグクッションの上部分の硬さをもたらし、それにより、外部事象に起因してエアバッグ装置が展開されたとき、乗員の頭部が捕えられ、および／または保持され、乗員は、この外部事象の結果として膨らんだエアバッグクッションの方に移動する。第１の牽引要素および第３の牽引要素は、膨らんだエアバッグクッションの中心および下部分の硬さをもたらし、それにより、外部事象に起因してエアバッグ装置が展開されたとき、乗員の身体が捕えられ、および／または保持され、乗員は、この外部事象の結果として膨らんだエアバッグクッションの方に移動する。陥凹中心領域および／または肩領域、ならびにより厚い前方領域を有する膨らんだエアバッグクッションの形状は、乗員の頭部、胸部および腹部に優れた保護を提供し、一方で同時に乗員が膨らんだエアバッグクッションから滑り出ること、またはずり出ることを防止する。
【００３０】
本発明によるエアバッグ装置は、例えば、既知の様式でガス発生器上に配置された装着ボルトによって、シートフレームの第１の側部に取り付けられ得、一方で第１、第２および第３の牽引要素の第１端は、例えば、既知の様式でエアバッグクッションに縫い付けられ得る。
【００３１】
第２の上方牽引要素の第２端はまた、例えば、ガス発生器の締結ボルトによってシートフレームの第１の側部に既知の様式で締結され得、一方で第３の下方牽引要素の第２端は、例えば、ねじまたは他の適切な締結手段によって、シートフレームの第１の側部に直接締結され得る。これに代えて、第３の下方牽引要素の第２端はまた、ガス発生器の締結ボルトによってシートフレームの第１の側部に固設され得る。第１の牽引要素の第２端は、シートフレームの第２の反対側部に、例えば、ねじまたは他の適切な締結手段によって、直接締結され得る。当業者は、適切な装着選択肢を認識し、これは、本明細書によって、本開示および本発明の範囲に組み込まれる。
【００３２】
したがって、本発明によると、エアバッグ装置が提供され、牽引要素が、膨らんだエアバッグクッションを使用位置に位置付け、運動を前方に配向し、それによって、速度および／またはエネルギーの乗員の吸収を低減または防止し、乗員の変位および／または運動を結果としてもたらす。同時に、陥凹中心領域および／または肩領域は、乗員が膨らんだエアバッグクッションから滑り出ること、またはずり出ることを防止する。
【００３３】
本発明による自動車両用のエアバッグクッションは、シートフレーム上に配置され、かつそれに取り付けられ得、側面衝突または車両横転の場合に乗員の頭部および胸部を保護するように設計される。エアバッグクッションは、ガス発生器に接続され得、隣接シートに面するシートフレームの第１の側部に配置および固設され得る。本発明によると、かつ有利には、エアバッグクッションは、第１の牽引要素を有し、これは、その第１端によってエアバッグクッションの中心領域に締結される。
【００３４】
本発明および有利な実施形態は、展開に際して意図される位置に確実に保持され、かつ乗員がエアバッグクッションから滑り出ることを防止する、エアバッグクッションを提供する。これは、次に、一方で、２人の乗員が車両に乗っているときに隣接シートに座っている乗員の頭部の衝突を確実に防止する。１人のみの乗員が自動車両に乗っている場合、乗員は、エアバッグクッションの本発明の、かつ有利な実施形態によって、シート上に確実に拘束される。これは、特に、車両が側面衝突においてシートの反対側で衝突された場合、この場合において乗員がシート上に確実に拘束されるため、向上した安全性を乗員に提供する。
【００３５】
牽引要素が乗員に影響を及ぼすことを防止するために、かつそれゆえに乗員が膨らんだエアバッグクッションを外し始めることも防止するために、第１の牽引要素は、有利には、かつ本発明によると、その第１端によってエアバッグクッションの中心領域の後部に取り付けられる。この場合において具体的な利点として考えられるものは、この設計のため、膨らんだエアバッグクッションの最大部が第１の牽引要素の正面に配置され、それにより、乗員を安全に受け止める、および／または正確かつ確実に捕捉するための十分な面積が存在することである。さらに、これは、第１の牽引要素が、乗員とシートの背もたれとの間に配置されることを確実にし、それゆえに、第１の牽引要素が、乗員と膨らんだエアバッグクッションデバイスとの間で動かないことを確実にする。それゆえに、本発明および有利な配置によると、第１の牽引要素は、エアバッグクッションの膨張を展開する事象によって生じる乗員の運動に影響を与えない。したがって、これは、乗員が膨らんだエアバッグクッションを第１の牽引要素に沿って、滑り出ること、またはずり出ることを防止する。
【００３６】
エアバッグクッションの機能的信頼性およびエアバッグクッションの剛性は、好ましい実施形態によって、第１の牽引要素が有利に、かつ発明的に、その第１端によって、保持手段の近くでエアバッグクッションの中心領域の後部に締結される場合、さらに改善される。これらの保持手段は、例えば、エアバッグクッションの両側部を、エアバッグクッションの膨張に際して互いから事前指定された距離に配向するように、エアバッグクッションの内側に配設され、かつエアバッグクッションの両側部を互いに接続するストラップであり得、したがって、これは、膨らんだエアバッグクッションの形状およびその硬さを決定する。
【００３７】
第１の牽引要素の第１端をこれらの保持手段の近くに取り付けることによって、エアバッグクッションの硬さおよび耐荷重は、著しく改善され、それゆえに、機能的信頼性も同様に著しく改善される。
【００３８】
機能的信頼性およびエアバッグクッションの剛性は、さらに好ましい実施形態よって、第１の牽引要素が、有利に、かつ本発明によって、その第２端を用いて、シートフレームの第１の側部の反対、かつ車両の外側に面する、シートフレームの第２の側部上に配置される場合、さらに改善される。したがって、第１の牽引要素は、膨らんだエアバッグクッションを意図された位置に保持し、乗員が側面衝突で生じる力によって膨らんだエアバッグクッションに押し込まれるときに生じる強い力を吸収し得る。既に述べられたように、これは、車両が、側面衝突において、シートの反対側で衝突され、乗員が側面衝突から結果として乗じる力によって膨らんだエアバッグクッションの方向に押し込まれる場合に、特に有利である。
【００３９】
さらに、これはまた、エアバッグクッションを側方方向に安定化させ、それによって、膨らんだエアバッグクッションがヒンジ様に開いて離れることを防止する。したがって、膨らんだエアバッグクッションは、乗員がエアバッグクッションに押し込まれた場合でさえ、シートに対し側方に隣接する使用の意図されるエリアにその位置を維持し、それにより、信頼性および機能性がさらに改善される。
【００４０】
エアバッグクッションの機能的信頼性をさらに改善するために、かつ乗員がエアバッグクッションから滑り出ること、またはずり出ることを確実に防止するために、好ましい発展によると、エアバッグクッションの中心領域は、エアバッグクッションが膨らんだとき、陥凹中心領域を形成する。本発明の、かつ有利な陥凹中心領域は、乗員が、エアバッグクッションの膨張を引き起こす事象によって膨らんだエアバッグクッションに押し込まれたとき、乗員の肩を受け止め得る。しかしながら、乗員は、次に、膨らんだエアバッグクッションの正面に確実に保持され、乗員は、膨らんだエアバッグクッションから滑り出ること、またはずり出ることを防止される。陥凹中心領域および／または肩領域は、様々な方式で形成され得る。例えば、それは、膨らまないエアバッグクッションの一部分であり得る。またはそれは、中心領域および／または肩領域の所望される厚さを形成するために、エアバッグクッションの周囲エリアよりも小さく膨らむエアバッグクッションの一部分であり得る。当業者は、この設計に必要なエアバッグクッションの構成的設計を認識し、これは、本明細書によって本開示および本発明の範囲に含められる。
【００４１】
さらに好ましい実施形態によると、エアバッグクッションが膨らんだとき、エアバッグクッションの前方領域が、エアバッグクッションの中心領域よりも厚くなることが発明的に、かつ有利に提供される。これは、エアバッグクッションの機能的信頼性をさらに改善し、乗員が膨らんだエアバッグクッションから滑り出ること、またはずり出ることを確実に防止する。エアバッグクッションの厚い前方領域は、乗員が、膨らんだエアバッグクッションから滑り出ない、またはずり出ないように、陥凹中心領域および／または肩領域に乗員を肩によって確実に保持する。
【００４２】
本発明の有利な発展において、エアバッグクッションは、第２の牽引要素および第３の牽引要素を有し、これらは、その第１端によってエアバッグクッションの前方領域に各々締結される。したがって、エアバッグクッションは、特に、さらに有利な実施形態によって、第２の牽引要素および第３の牽引要素が、その第２端によってシートフレームの第１の側部に各々配置および締結され得る場合、確実かつ動作可能に配置され得る。これは、膨らんだエアバッグクッションがシートフレームに確実かつ安定的に取り付けられ、かつ意図される位置に保持されることを確実にし、それにより、エアバッグクッションの信頼性が保証される。
【００４３】
第２の牽引要素および第３の牽引要素が乗員に影響を及ぼすことを防止するために、かつ、したがって、乗員が膨らんだエアバッグクッションから滑り出ること、またはずり出ることを防止するために、さらに有利な発展によると、第２の牽引要素は、第１の牽引要素の上に配置され、第３の牽引要素は、第１の牽引要素の下に配置される。本発明によるこの有利な発展によって、第２の牽引要素は、中心領域の上に配置され、第３の牽引要素は、中心領域が覆われないように、中心領域の下に配置される。したがって、中心領域および／または肩領域は、乗員の肩を確実に受け止め、それにより、乗員は、膨らんだエアバッグクッションから滑り出ない、またはずり出ない。これは、本発明によるエアバッグクッションの機能的信頼性を保証する。
【００４４】
「上」という用語は、エアバッグクッションの設置位置を意味する。設置位置において、エアバッグクッションは、車両底部に向かう、下方に配向された側部、および車両の屋根に向かう、上方に配向された側部を有する。「上」および「下」という用語は、それゆえに、当業者に対して、第２および第３の牽引要素と第１の牽引要素との間の配置および関係を明確に定義する。また、「中心領域」、「前方領域」、「下方領域」等のような配置は、したがって、当業者に対して十分に定義される。
【００４５】
機能的に、第２の牽引要素は、膨らんだエアバッグクッションの上部分の硬さをもたらし、それにより、外部事象に起因してエアバッグクッションが展開されたとき、乗員の頭部が捕えられ、および／または保持され、乗員は、この外部事象の結果として膨らんだエアバッグクッションの方に移動する。第１の牽引要素および第３の牽引要素は、膨らんだエアバッグクッションの中心および下部分の硬さをもたらし、それにより、外部事象に起因してエアバッグクッションが展開されたとき、乗員の身体が捕えられ、および／または保持され、乗員は、この外部事象の結果として膨らんだエアバッグクッションの方に移動する。陥凹中心領域および／または肩領域、ならびにより厚い前方領域を有する膨らんだエアバッグクッションの形状は、乗員の頭部、胸部および腹部に優れた保護を提供し、一方で同時に乗員が膨らんだエアバッグクッションから滑り出ること、またはずり出ることを防止する。
【００４６】
本発明によるエアバッグクッションは、例えば、既知の様式でガス発生器上に配置された装着ボルトによって、シートフレームの第１の側部に取り付けられ得、一方で第１、第２および第３の牽引要素の第１端は、例えば、既知の様式でエアバッグクッションに縫い付けられ得る。第２の上方牽引要素の第２端はまた、例えば、ガス発生器の締結ボルトによってシートフレームの第１の側部に既知の様式で締結され得、一方で第３の下方牽引要素の第２端は、例えば、ねじまたは他の適切な締結手段によって、シートフレームの第１の側部に直接締結され得る。これに代えて、第３の下方牽引要素の第２端はまた、ガス発生器の締結ボルトによってシートフレームの第１の側部に固設され得る。第１の牽引要素の第２端は、シートフレームの第２の反対側部に、例えば、ねじまたは他の適切な締結手段によって、直接締結され得る。当業者は、適切な装着選択肢を認識し、これは、本明細書によって、本開示および本発明の範囲に組み込まれる。
【００４７】
したがって、本発明によると、エアバッグクッションが提供され、牽引要素が、膨らんだエアバッグクッションを使用位置に位置付け、運動を前方に配向し、それによって、速度および／またはエネルギーの乗員の吸収を低減または防止し、乗員の変位および／または運動を結果としてもたらす。同時に、陥凹中心領域および／または肩領域は、乗員が膨らんだエアバッグクッションから滑り出ること、またはずり出ることを防止する。
【００４８】
本発明のさらなる利点および特徴は、図面と併せて行われる以下の説明から明らかになるであろう。
【図面の簡単な説明】
【００４９】
【図１】エアバッグ装置（１０）が背もたれ（２２）上に配置された状態の自動車両の運転手のシート（２０）の概略図を示す。
【図２】エアバッグ装置（１０）およびシートフレーム（２４）に取り付けられる牽引要素（４０、５０、６０）を有するシートフレーム（２４）を示す、運転手のシート（２０）内部の概略図を示す。
【図３】図２の線Ａ−Ａに沿って切断された、エアバッグ装置（１０）の第１実施形態の断面図をシートフレーム（２４）と共に示す。
【図４】図２の線Ａ−Ａに沿って切断された、エアバッグ装置（１０）の第２実施形態の断面図をシートフレーム（２４）と共に示す。
【図５】エアバッグ装置（１０）の機能の概略的表現を含む、図４の断面図を示す。
【発明を実施するための形態】
【００５０】
図１は、展開されたエアバッグ装置（１０）が背もたれ（２２）上に配置された状態の自動車両の運転手のシート（２０）の概略図を示す。エアバッグ装置（１０）は、エアバッグクッション（３０）およびガス発生器を有し、これは、本明細書に示されず、例示された形状の膨らんだエアバッグクッション（３０）を有する。本明細書に示されるエアバッグクッション（３０）は、「ＦＣＡ」（フロントセンターエアバッグ）と呼ばれ、これは、運転手のシートと乗員のシート（図示せず）との間の車両の中心、隣接シートに面する運転手のシートの背もたれの側方領域（図示せず）に位置し、側面衝突の場合に、これらのシートにいる人の脇腹および頭部を保護する。
【００５１】
エアバッグクッション（３０）は、陥凹中心領域（３２）および／または乗員の肩を受け止めるための肩領域（３８）、ならびに肩が中心領域（３２）および／または肩領域（３８）から滑り出ることを防止する、より厚い前方領域（３６）を有する。
【００５２】
本発明によるエアバッグ装置（１０）の動作モードが、ここで、図２〜５を参照して以下により詳細に説明されることになる。
【００５３】
図２は、図１の運転手のシート（２０）の概略図を、背もたれ（２２）のシートフレーム（２４）を明らかにする、その内部と共に示す。エアバッグ装置（１０）は、図示されない隣接シートに面する、第１の側部（２６）上でシートフレーム（２４）に取り付けられ締結される。本発明によるエアバッグ装置（１０）は、ガス発生器装着ボルト（図示せず）によって、既知の様式で本実施形態においてシートフレーム（２４）の第１の側部（２６）上に取り付けられる。
【００５４】
エアバッグ装置（１０）は、陥凹中心領域（３２）および／または肩領域（３８）ならびにより厚い前方領域（３６）を有するエアバッグクッション（３０）を有する。第１の牽引要素（４０）は、その第１端（４２）によって、陥凹中心領域（３２）および／または肩領域（３８）の後部（３４）に取り付けられる。その第２端（４４）によって、第１の牽引要素（４０）は、車両外部に面するシートフレーム（２４）の第２の反対側部（２８）に取り付けられる。第１の牽引要素（４０）の第２端（４４）は、図示されないねじを有する本実施形態において、シートフレーム（２４）の第２の側部（２８）上に取り付けられる。
【００５５】
本発明の、かつ有利な実施形態によると、第１の牽引要素（４０）は、膨らんだエアバッグクッション（３０）を意図された位置に保持し、乗員が側面衝突で生じる力によって膨らんだエアバッグクッション（３０）に押し込まれるときに生じる強い力を吸収し得る。既に述べられたように、これは、車両が、側面衝突において、シート（２０）の反対側で衝突され、乗員が側面衝突から結果として乗じる力によって膨らんだエアバッグクッション（３０）の方向に押し込まれる場合に、特に有利である。
【００５６】
さらに、第３の牽引要素（５０）は、その第１端（５２）によって、エアバッグクッション（３０）の前方領域（３６）に取り付けられ、その第２端（５４）によって、シートフレーム（２４）の第１の側部（２６）に取り付けられる。第２の牽引要素（５０）の第２端（５４）は、図示されないガス発生器の締結ボルトによって、本実施形態においてシートフレーム（２４）の第１の側部（２６）上に取り付けられる。
【００５７】
最後に、第３の牽引要素（６０）は、その第１端（６２）によって、エアバッグクッション（３０）の前方領域（３６）に取り付けられ、その第２端（６４）によって、シートフレーム（２４）の第１の側部（２６）に取り付けられる。第３の牽引要素（６０）の第２端（６４）は、図示されないねじによって本実施形態においてシートフレーム（２４）の第１の側部（２６）に取り付けられる。
【００５８】
本発明の、かつ有利な実施形態は、膨らんだエアバッグクッション（３０）がシートフレーム（３０）に確実かつ安定的に取り付けられ、かつ意図される位置に保持されることを確実にし、エアバッグクッション（２４）の信頼性を保証する。
【００５９】
機能的に、第２の牽引要素（５０）は、膨らんだエアバッグクッション（３０）の上部分の硬さをもたらし、それにより、外部事象に起因してエアバッグクッション（３０）が展開されたとき、乗員の頭部が捕えられ、および／または保持され、乗員は、この外部事象の結果として膨らんだエアバッグクッション（３０）の方に移動する。第１の牽引要素（４０）および第３の牽引要素（６０）は、膨らんだエアバッグクッション（３０）の中心および下部分の硬さをもたらし、それにより、外部事象に起因してエアバッグクッション（３０）が展開されたとき、乗員の身体が捕えられ、および／または保持され、乗員は、この外部事象の結果として膨らんだエアバッグクッション（３０）の方に移動する。陥凹中心領域（３２）および／または肩領域（３８）、ならびにより厚い前方領域（３６）を有する膨らんだエアバッグクッション（３０）の形状は、乗員の頭部、胸部および腹部に優れた保護を提供し、一方で同時に乗員が、膨らんだエアバッグクッション（３０）から滑り出ること、またはずり出ることを防止する。図３は、エアバッグ装置（１０）の第１実施形態の断面図を示す。断面は、図２の線Ａ−Ａに沿って切り取られ、矢印（Ａ）によって示されるように、上からの図を例示する。
【００６０】
エアバッグ装置（１０）は、エアバッグクッション（３０）を備え、エアバッグクッション（３０）は、中心領域（３２）および／または肩領域（３８）、ならびにより厚い前方領域（３６）を有する。第１の牽引要素（４０）は、その第１端（４２）によって、中心領域（３２）および／または肩領域（３８）の後部（３４）に取り付けられる。第２端（４４）によって、第１の牽引要素（４０）は、シートフレーム（２４）の第２の側部（２８）に取り付けられる。
【００６１】
さらに、第３の牽引要素（６０）は、その第１端（６２）によって、エアバッグクッション（３０）の前方領域（３６）に取り付けられ、その第２端（６４）によって、シートフレーム（２４）の第１の側部（２６）に取り付けられる。
【００６２】
本明細書に示されるエアバッグ装置（１０）の第１実施形態において、中心領域（３２）および／または肩領域（３８）は、膨らまないエアバッグクッション（３０）の領域によって形成される。つまり、エアバッグクッション（３０）の２つの側部は、この領域内で一方が他方の上に直接置かれ、例えば、溶接によって、それらの縁領域で共に接合され、それにより、エアバッグクッション（３０）の隣接する膨らんだ領域からのガスが、中心領域（３２）および／または肩領域（３８）内に通過することができない。これは、エアバッグクッション（３０）の周囲領域に対して陥凹されている陥凹中心領域（３２）および／または肩領域（３８）を結果としてもたらし、これは、具体的には、この断面図に見ることができるように、より厚い前方領域（３６）に対して陥凹される。
【００６３】
本発明の、かつ有利な陥凹中心領域（３２）および／または肩領域（３８）は、乗員が、エアバッグクッション（３０）の膨張を引き起こす事象によって膨らんだエアバッグクッション（３０）に押し込まれたとき、乗員の肩を受け止め得る。しかしながら、乗員は、それゆえに、同一の正面に膨らんだエアバッグクッション（３０）によって確実に保持され、乗員は、膨らんだエアバッグクッション（３０）からずり出ること、または滑り出ることを防止される。
【００６４】
本発明の、かつ有利なエアバッグクッション（３０）の厚い前方領域（３６）は、乗員が、膨らんだエアバッグクッション（３２）からずり出ない、または滑り出ないように、陥凹中心領域（３８）および／または肩領域（３０）に乗員を肩によって確実に保持する。
【００６５】
図４は、エアバッグ装置（１０）の第２実施形態の断面図を示す。断面は、図２の線Ａ−Ａに沿って切り取られ、矢印（Ａ）によって示されるように、上からの図を例示する。エアバッグ装置（１０）は、エアバッグクッション（３０）を備え、エアバッグクッション（３０）は、中心領域（３２）および／または肩領域（３８）、ならびにより厚い前方領域（３６）を有する。第１の牽引要素（４０）は、第１端（４２）によって、保持手段（３９）の近くで、中心領域（３２）および／または肩領域（３８）の後部（３４）に取り付けられる。保持手段（３９）は、本明細書に例示される実施形態において、エアバッグクッション（３０）の両側部を、エアバッグクッション（３０）の膨張に際して互いから事前指定された距離に配向するように、エアバッグクッション（３０）の内側に配設され、かつエアバッグクッション（３０）の両側部を互いに接続するストラップとして設計され、したがって、これは、膨らんだエアバッグクッション（３０）の形状およびその硬さを決定する。第２端（４４）によって、第１の牽引要素（４０）は、シートフレーム（２４）の第２の側部（２８）に取り付けられる。
【００６６】
さらに、第３の牽引要素（６０）は、その第１端（６２）によって、エアバッグクッション（３０）の前方領域（３６）に取り付けられ、その第２端（６４）によって、シートフレーム（２４）の第１の側部（２６）に取り付けられる。
【００６７】
本明細書に示されるエアバッグ装置（１０）の第２実施形態において、中心領域（３２）および／または肩領域（３８）は、エアバッグクッション（３０）が膨らんだときに同様に膨らむエアバッグクッション（３０）の領域によって形成される。しかしながら、この中央領域（３２）および／または肩領域（３９）の膨張、および、したがって、その外方拡張は、保持手段（３８）によって制限され、中心領域（３８）および／または肩領域（３２）の事前指定された形状を結果としてもたらす。これは、エアバッグクッション（３０）の周囲領域に対して陥凹されている陥凹中心領域（３２）および／または肩領域（３８）を結果としてもたらし、これは、具体的には、この断面図に見ることができるように、より厚い前方領域（３６）に対して陥凹される。
【００６８】
本発明の、かつ有利な陥凹中心領域（３２）および／または肩領域（３８）は、乗員が、エアバッグクッション（３０）の膨張を引き起こす事象によって膨らんだエアバッグクッション（３０）に押し込まれたとき、乗員の肩を受け止め得る。しかしながら、乗員は、それゆえに、同一の正面に膨らんだエアバッグクッション（３０）によって確実に保持され、乗員は、膨らんだエアバッグクッション（３０）からずり出ること、または滑り出ることを防止される。
【００６９】
本発明の、かつ有利なエアバッグクッション（３０）の厚い前方領域（３６）は、乗員が、膨らんだエアバッグクッション（３２）からずり出ない、または滑り出ないように、陥凹中心領域（３８）および／または肩領域（３０）に乗員を肩によって確実に保持する。
【００７０】
図５は、本発明によるエアバッグ装置（１０）の動作モードを概略的に例示する。
【００７１】
図５は、エアバッグ装置（１０）の動作モードを例証するために乗員（７０）を追加的に含む、図４の断面図を示す。さらに、陥凹中心領域（３２）および／または肩領域（３８）は、破線によって図５に例示される。付随的に、同一部分は、同一参照番号によって図５に提供され、それゆえに再び説明される必要はない。
【００７２】
エアバッグ装置（１０）を展開させ、それゆえに、エアバッグクッション（３０）の膨張を引き起こす外部事象は、乗員（７０）に力（Ｆ）を加える。この力（Ｆ）のため、乗員（７０）は、矢印および／または力の方向（Ｆ）によって示されるように、膨らんだエアバッグクッション（３０）の方に移動し、膨らんだエアバッグクッション（３０）によって捕捉される。
【００７３】
この場合において乗員（７０）の肩は、陥凹中心領域（３２）および／または肩領域（３８）内に到達し、ここに捕捉および保持される。側方方向および／または力の方向（Ｆ）への乗員（７０）の継続した運動は、膨らんだエアバッグクッション（３０）および／または陥凹肩領域（３８）によって防止される。乗員（７０）によってエアバッグクッション（３０）に加えられた力は、第１の牽引要素（４０）によって吸収され、それを介してシートフレーム（２４）の第２の側部（２８）に導かれる。
【００７４】
また、前方への乗員（７０）運動、つまり、膨らんだエアバッグクッション（３０）から乗員（７０）が滑り出すこと、またはずり出ることは、本発明によるエアバッグ装置（１０）によって防止される。エアバッグクッション（３０）の前方領域（３６）が陥凹中心領域（３２）および／または肩領域（３８）よりも厚いため、乗員（６０）の肩は、前方のより厚い部分（３６）に寄りかかり、それによって前方に移動することを防止される。この場合において乗員（７０）によってエアバッグクッション（３０）に加えられた力は、第２および第３の牽引要素（５０、６０）によって吸収され、それを介してシートフレーム（２４）の第１の側部（２６）に導かれる。
【００７５】
参照番号のリスト
１０      エアバッグ装置
２０      シート
２２      背もたれ
２４      シートフレーム
２６      第１の側部
２８      第２の側部
３０      エアバッグクッション
３２      中心領域
３４      後部
３６      前方領域
３８      肩領域
３９      保持手段
４０      第１の牽引要素
４２      第１端
４４      第２端
５０      第２の牽引要素
５２      第１端
５４      第２端
６０      第３の牽引要素
６２      第１端
６４      第２端
７０      乗員
Ａ          視点Ａ−Ａ
Ｆ          力の方向
【図１】
2019523171.tif 000003
【図２】
2019523171.tif 000004
【図３】
2019523171.tif 000005
【図４】
2019523171.tif 000006
【図５】
2019523171.tif 000007
【国際調査報告】
2019523171.tif 000008
2019523171.tif 000009
2019523171.tif 000010
2019523171.tif 000011
2019523171.tif 000012
2019523171.tif 000013